(57)【要約】【課題】読み取られる画像データに異常画像が表れることを抑制すると共に、ユーザーにおける手間を軽減可能な画像読取装置、画像形成装置、及び画像読取方法を提供すること。【解決手段】画像読取装置は、ＣＣＤと、ＡＦＥ回路と、を備え、原稿載置面に載置される原稿が立体物であるか否かを判定し（ステップＳ１１）、立体物であると判定された場合であってブック原稿でないと判定された場合に（ステップＳ１３のＮｏ）、ユーザー操作に応じてＣＣＤから出力されるアナログ信号を予め定められた分圧比で分圧し（ステップＳ１６）、ＡＦＥ回路から出力される画像データの画素の濃度を前記分圧比に応じて補正する（ステップＳ１８）。【選択図】図６
2018056624.tif 000002
【特許請求の範囲】
【請求項１】
原稿載置面に載置される原稿で反射される光の光量に応じたアナログ信号を出力する光電変換部と、
前記光電変換部から出力される前記アナログ信号をライン周期でクランプするクランプ部、及び前記クランプ部によりクランプされた前記アナログ信号をデジタル信号の画像データに変換する信号変換部を含む電気回路と、
前記原稿載置面に対して開閉可能に設けられるカバー部材と、
前記原稿載置面及び前記カバー部材の位置関係に基づいて、前記原稿が立体物であるか否かを判定する判定処理部と、
前記判定処理部により前記原稿が立体物であると判定された場合に、前記光電変換部から出力される前記アナログ信号を予め定められた分圧比で分圧可能な分圧処理部と、
前記分圧処理部により前記光電変換部から出力される前記アナログ信号が分圧される場合に、前記電気回路から出力される画像データの画素の濃度を前記分圧比に応じて補正する補正処理部と、
を備える画像読取装置。
【請求項２】
前記カバー部材と前記原稿載置面との間の離間距離を検出する距離検出部を更に備え、
前記判定処理部は、前記距離検出部により検出される前記離間距離が予め定められた第１基準距離を超える場合に、前記原稿が立体物であると判定する、
請求項１に記載の画像読取装置。
【請求項３】
前記判定処理部は、前記距離検出部により検出される前記離間距離が前記第１基準距離より長い第２基準距離を超える場合に、前記原稿がブック原稿であると判定し、
前記分圧処理部は、前記判定処理部により前記原稿が立体物であり且つブック原稿ではないと判定された場合に、前記光電変換部から出力される前記アナログ信号を前記分圧比で分圧し、
前記画像読取装置は、前記判定処理部により前記原稿がブック原稿であると判定された場合に、前記電気回路から出力される画像データに対して予め定められた画像処理を実行する処理実行部を更に備える、
請求項２に記載の画像読取装置。
【請求項４】
前記カバー部材は、前記原稿載置面に沿った回動軸により回動可能に支持されており、
前記画像形成装置は、前記カバー部材の前記原稿載置面に対する回動角度を検出する角度検出部を更に備え、
前記判定処理部は、前記角度検出部により検出される前記回動角度が予め定められた第１基準角度を超える場合に、前記原稿が立体物であると判定する、
請求項１に記載の画像読取装置。
【請求項５】
前記判定処理部は、前記角度検出部により検出される前記回動角度が前記第１基準角度より大きい第２基準角度を超える場合に、前記原稿がブック原稿であると判定し、
前記分圧処理部は、前記判定処理部により前記原稿が立体物であり且つブック原稿ではないと判定された場合に、前記光電変換部から出力される前記アナログ信号を前記分圧比で分圧し、
前記画像読取装置は、前記判定処理部により前記原稿がブック原稿であると判定された場合に、前記電気回路から出力される画像データに対して予め定められた画像処理を実行する処理実行部を更に備える、
請求項４に記載の画像読取装置。
【請求項６】
前記分圧処理部は、前記判定処理部により前記原稿が立体物であると判定された場合に、予め定められたユーザー操作に応じて前記アナログ信号を分圧する、
請求項１〜５のいずれかに記載の画像読取装置。
【請求項７】
前記光電変換部から出力される前記アナログ信号を前記分圧比で分圧する分圧回路と、
前記光電変換部から出力される前記アナログ信号の前記分圧回路への入力の有無を切り替える切替スイッチと、を更に備え、
前記分圧処理部は、前記切替スイッチを操作して前記アナログ信号を分圧する、
請求項１〜６のいずれかに記載の画像読取装置。
【請求項８】
請求項１〜７のいずれかに記載の画像読取装置と、画像データに基づいて画像を形成可能な画像形成部と、
を備える画像形成装置。
【請求項９】
原稿載置面に載置される原稿で反射される光の光量に応じたアナログ信号を出力する光電変換部と、前記光電変換部から出力される前記アナログ信号をライン周期でクランプするクランプ部、及び前記クランプ部によりクランプされた前記アナログ信号をデジタル信号の画像データに変換する信号変換部を含む電気回路と、前記原稿載置面に対して開閉可能に設けられるカバー部材と、を備える画像読取装置で実行される画像読取方法であって、
前記原稿載置面及び前記カバー部材の位置関係に基づいて、前記原稿が立体物であるか否かを判定する判定ステップと、
前記判定ステップにより前記原稿が立体物であると判定された場合に、前記光電変換部から出力される前記アナログ信号を予め定められた分圧比で分圧可能な分圧ステップと、
前記分圧ステップにより前記光電変換部から出力される前記アナログ信号が分圧される場合に、前記電気回路から出力される画像データの画素の濃度を前記分圧比に応じて補正する補正ステップと、
を含む画像読取方法。
【発明の詳細な説明】
【技術分野】
【０００１】
本発明は、画像読取装置、画像読取装置を備える画像形成装置、及び画像読取装置で実行される画像読取方法に関する。
【背景技術】
【０００２】
スキャナーのような画像読取装置は、原稿載置面に載置された原稿へ向けて光を射出する光源と、光源から射出されて原稿で反射された光の光量に応じたアナログ信号を出力する光電変換部とを備える。この種の画像読取装置では、光電変換部から出力されるアナログ信号は、アナログフロントエンド回路に入力される。例えば、アナログフロントエンド回路では、入力されたアナログ信号がライン周期でクランプされた後、デジタル信号の画像データに変換されて出力される。
【０００３】
ところで、画像読取装置では、エンボス加工が施されたクレジットカードのような鏡面を有する立体物の画像が読み取られる場合に、光源から射出されて前記立体物で正反射した光が光電変換部に照射されることがある。この場合、光電変換部からアナログフロントエンド回路の入力レンジを超える振幅のアナログ信号が出力されてライン周期のクランプにおけるオフセットレベルが変化し、読み取られる画像データに主走査方向に沿った筋状の異常画像が表れる。これに対し、ユーザー操作に応じて光電変換部から出力されるアナログ信号を分圧することで、読み取られる画像データに前記異常画像が表れることを抑制可能な画像読取装置が関連技術として知られている（特許文献１参照）。
【先行技術文献】
【特許文献】
【０００４】
【特許文献１】特開２０１５−６５６２０号公報
【発明の概要】
【発明が解決しようとする課題】
【０００５】
しかしながら、前記関連技術では、ユーザーにおいて原稿の画像の読み取り前に原稿が鏡面を有する立体物であるか否かを確認する手間が生じる。
【０００６】
本発明の目的は、読み取られる画像データに異常画像が表れることを抑制すると共に、ユーザーにおける手間を軽減可能な画像読取装置、画像形成装置、及び画像読取方法を提供することにある。
【課題を解決するための手段】
【０００７】
本発明の一の局面に係る画像読取装置は、光電変換部と、電気回路と、カバー部材と、判定処理部と、分圧処理部と、補正処理部と、を備える。前記光電変換部は、原稿載置面に載置される原稿で反射される光の光量に応じたアナログ信号を出力する。前記電気回路は、前記光電変換部から出力される前記アナログ信号をライン周期でクランプするクランプ部、及び前記クランプ部によりクランプされた前記アナログ信号をデジタル信号の画像データに変換する信号変換部を含む。前記カバー部材は、前記原稿載置面に対して開閉可能に設けられる。前記判定処理部は、前記原稿載置面及び前記カバー部材の位置関係に基づいて、前記原稿が立体物であるか否かを判定する。前記分圧処理部は、前記判定処理部により前記原稿が立体物であると判定された場合に、前記光電変換部から出力される前記アナログ信号を予め定められた分圧比で分圧可能である。前記補正処理部は、前記分圧処理部により前記光電変換部から出力される前記アナログ信号が分圧される場合に、前記電気回路から出力される画像データの画素の濃度を前記分圧比に応じて補正する。
【０００８】
本発明の他の局面に係る画像形成装置は、前記画像読取装置と、画像形成部とを備える。前記画像形成部は、画像データに基づいて画像を形成可能である。
【０００９】
本発明の他の局面に係る画像読取方法は、原稿載置面に載置される原稿で反射される光の光量に応じたアナログ信号を出力する光電変換部と、前記光電変換部から出力される前記アナログ信号をライン周期でクランプするクランプ部、及び前記クランプ部によりクランプされた前記アナログ信号をデジタル信号の画像データに変換する信号変換部を含む電気回路と、前記原稿載置面に対して開閉可能に設けられるカバー部材と、を備える画像読取装置で実行され、判定ステップ、分圧ステップ、及び補正ステップを含む。前記判定ステップでは、前記原稿載置面及び前記カバー部材の位置関係に基づいて、前記原稿が立体物であるか否かが判定される。前記分圧ステップでは、前記判定ステップにより前記原稿が立体物であると判定された場合に、前記光電変換部から出力される前記アナログ信号が予め定められた分圧比で分圧される。前記補正ステップでは、前記分圧ステップにより前記光電変換部から出力される前記アナログ信号が分圧される場合に、前記電気回路から出力される画像データの画素の濃度が前記分圧比に応じて補正される。
【発明の効果】
【００１０】
本発明によれば、読み取られる画像データに異常画像が表れることを抑制すると共に、ユーザーにおける手間を軽減可能な画像読取装置、画像形成装置、及び画像読取方法が実現される。
【図面の簡単な説明】
【００１１】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置における画像読取部の構成を示す図である。
【図４】図４は、本発明の実施形態に係る画像形成装置における画像読取部の構成を示す図である。
【図５】図５は、本発明の実施形態に係る画像形成装置における画像読取部の構成を示す図である。
【図６】図６は、本発明の実施形態に係る画像形成装置で実行される読取制御処理の一例を示すフローチャートである。
【図７】図７は、本発明の他の実施形態に係る画像形成装置のシステム構成を示すブロック図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像形成装置１０の構成］
まず、図１及び図２を参照しつつ、本発明の実施形態に係る画像形成装置１０の構成について説明する。ここで、図１は画像形成装置１０の構成を示す断面模式図である。
【００１４】
画像形成装置１０は、原稿から画像データを読み取るスキャン機能、及び画像データに基づいて画像を形成するプリント機能と共に、ファクシミリ機能、及びコピー機能などの複数の機能を有する複合機である。
【００１５】
図１及び図２に示されるように、画像形成装置１０は、ＡＤＦ（自動原稿搬送装置）１、画像読取部２、画像形成部３、給紙部４、制御部５、操作表示部６、及び記憶部７を備える。
【００１６】
画像形成部３は、画像データに基づいて電子写真方式で画像を形成することが可能である。具体的に、画像形成部３は、感光体ドラム、帯電装置、光走査装置、現像装置、転写装置、クリーニング装置、定着装置、及び排紙トレイを備える。給紙部４は、給紙カセット、シート搬送路、及び複数の搬送ローラーを備え、画像形成部３にシートを供給する。画像形成部３は、給紙部４から供給されるシートに、画像データに基づく画像を形成する。画像形成部３による画像形成後のシートは、前記排紙トレイに排出される。なお、画像形成部３は、インクジェット方式などの他の画像形成方式により画像を形成するものであってもよい。
【００１７】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。前記ＥＥＰＲＯＭは、不揮発性の記憶装置である。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１８】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１９】
記憶部７は、ハードディスクドライブ又はフラッシュメモリーなどの不揮発性の記憶装置である。なお、記憶部７は、制御部５の前記ＲＡＭ又は前記ＥＥＰＲＯＭであってもよい。
【００２０】
ＡＤＦ１は、画像読取部２によって画像データが読み取られる原稿を搬送する。具体的に、ＡＤＦ１は、図１に示されるように、原稿載置部１１、複数の搬送ローラー１２、原稿ガイド１３、及び排紙部１４を備える。また、ＡＤＦ１は、後述する原稿台２１に対して開閉可能に支持されており、原稿台２１の第１コンタクトガラス２１１に載置される原稿に対する原稿カバーを兼ねている。ここに、ＡＤＦ１が、本発明におけるカバー部材の一例である。
【００２１】
ＡＤＦ１では、搬送ローラー１２各々が不図示のモーターで駆動される。これにより、原稿載置部１１に載置された原稿が、ＡＤＦ１の内部に形成された原稿搬送路を搬送される。前記原稿搬送路を搬送される原稿は、原稿ガイド１３によって原稿台２１の第２コンタクトガラス２１２上に案内された後、排紙部１４に排出される。
【００２２】
［画像読取部２の構成］
次に、図１〜図５を参照しつつ、画像読取部２の構成について説明する。ここで、図３は原稿台２１の構成を示す模式図である。また、図４は原稿台２１の回動軸２１３を示す模式図である。また、図５は分圧回路２８及び切替スイッチ２９の構成を示す回路図である。
【００２３】
画像読取部２は、原稿から画像データを読み取ることが可能である。具体的に、画像読取部２は、図１及び図５に示されるように、原稿台２１、読取ユニット２２、ミラー２３、ミラー２４、光学レンズ２５、ＣＣＤ２６、ＡＦＥ（アナログフロントエンド）回路２７、分圧回路２８、及び切替スイッチ２９を備える。
【００２４】
原稿台２１は、画像形成装置１０の筐体の上面に設けられる。原稿台２１は、図３及び図４に示されるように、第１コンタクトガラス２１１、第２コンタクトガラス２１２、及び回動軸２１３を備える。
【００２５】
第１コンタクトガラス２１１には、原稿が載置される。画像形成装置１０では、図３に示される載置基準位置Ｐ１に合わせて、第１コンタクトガラス２１１に各種サイズの原稿が載置される。ここに、第１コンタクトガラス２１１が、本発明における原稿載置面の一例である。
【００２６】
第２コンタクトガラス２１２は、ＡＤＦ１により搬送される原稿に向けて読取ユニット２２から射出される光を透過する。回動軸２１３は、第１コンタクトガラス２１１の表面に沿って設けられる。回動軸２１３は、ＡＤＦ１を回動方向Ｄ１（図３及び図４参照）に回動可能に支持する。
【００２７】
読取ユニット２２は、図１に示されるように、第１コンタクトガラス２１１及び第２コンタクトガラス２１２の下側に設けられている。読取ユニット２２は、ステッピングモーター等の駆動部を有する不図示の移動機構によって、図３に示される副走査方向Ｄ３へ移動可能に構成されている。読取ユニット２２は、図１に示されるように、光源２２１及びミラー２２２を備える。
【００２８】
光源２２１は、図３に示される主走査方向Ｄ２に沿って配列された複数のＬＥＤである。光源２２１は、第１コンタクトガラス２１１又は第２コンタクトガラス２１２へ向けて主走査方向Ｄ２の１ライン分の光を照射する。光源２２１から射出された光は、第１コンタクトガラス２１１又は第２コンタクトガラス２１２を透過して、第１コンタクトガラス２１１に載置された原稿又はＡＤＦ１によって搬送される原稿に照射される。ミラー２２２は、光源２２１から射出されて原稿で反射された光をミラー２３へ反射させる。
【００２９】
画像読取部２では、第１コンタクトガラス２１１に載置される原稿から画像データが読み取られる場合、読取ユニット２２が前記移動機構によって副走査方向Ｄ３へ移動される。これにより、光源２２１から原稿に照射される光が副走査方向Ｄ３へ走査される。また、画像読取部２では、ＡＤＦ１によって搬送される原稿から画像データが読み取られる場合、読取ユニット２２が前記移動機構によって第２コンタクトガラス２１２の下方の位置に移動される。これにより、光源２２１から射出される光が第２コンタクトガラス２１２を透過して、ＡＤＦ１によって搬送される原稿に照射される。
【００３０】
ミラー２３は、読取ユニット２２のミラー２２２で反射された光をミラー２４へ反射させる。ミラー２４は、ミラー２３で反射された光を光学レンズ２５へ反射させる。光学レンズ２５は、ミラー２４で反射された光を集光してＣＣＤ２６へ入射させる。
【００３１】
ＣＣＤ２６は、主走査方向Ｄ２に沿って配列された複数の光電変換素子を有するイメージセンサーである。ＣＣＤ２６は、受光した光の光量に応じたアナログ信号を出力する。ここに、ＣＣＤ２６が、本発明における光電変換部の一例である。
【００３２】
画像読取部２では、第１コンタクトガラス２１１に載置される原稿から画像データが読み取られる場合、光源２２１から射出されて第１コンタクトガラス２１１に載置される原稿で反射された光がミラー２２２、ミラー２３、ミラー２４、及び光学レンズ２５を経由してＣＣＤ２６に入射される。これにより、ＣＣＤ２６から第１コンタクトガラス２１１に載置される原稿の画像に対応するアナログ信号が出力される。また、画像読取部２では、ＡＤＦ１によって搬送される原稿から画像データが読み取られる場合、光源２２１から射出されてＡＤＦ１によって搬送される原稿で反射された光がミラー２２２、ミラー２３、ミラー２４、及び光学レンズ２５を経由してＣＣＤ２６に入射される。これにより、ＣＣＤ２６からＡＤＦ１によって搬送される原稿の画像に対応するアナログ信号が出力される。
【００３３】
ＣＣＤ２６から出力されるアナログ信号は、切替スイッチ２９の切替状態に応じて分圧回路２８を経由して、又は経由せずに、ＡＦＥ回路２７に入力される。なお、ＣＣＤ２６から出力されるアナログ信号は、ＡＦＥ回路２７に入力される前に、図５に示されるカップリングコンデンサ２７０により直流成分が除去される。
【００３４】
ＡＦＥ回路２７は、ＣＣＤ２６から出力されるアナログ信号に基づく処理を実行する電子回路である。図５に示されるように、ＡＦＥ回路２７は、クランプ部２７１及び信号変換部２７２を有する。ここに、ＡＦＥ回路２７が、本発明における電気回路の一例である。
【００３５】
クランプ部２７１は、ＣＣＤ２６から出力されるアナログ信号をライン周期でクランプする電子回路である。クランプ部２７１から出力されるアナログ信号は、不図示の増幅回路で増幅された後に、信号変換部２７２に入力される。信号変換部２７２は、クランプ部２７１によりクランプされたアナログ信号をデジタル信号の画像データに変換するアナログデジタルコンバーターである。信号変換部２７２から出力される画像データは、不図示の信号処理回路で予め定められた信号処理が施された後に、制御部５に入力される。
【００３６】
分圧回路２８は、ＣＣＤ２６から出力されるアナログ信号を予め定められた分圧比で分圧する。図５に示されるように、分圧回路２８は、第１抵抗２８１及び第２抵抗２８２を有する。
【００３７】
第１抵抗２８１は、一端が切替スイッチ２９の第２バッファー２９２を介してＣＣＤ２６に接続され、他端がカップリングコンデンサ２７０に接続される。第２抵抗２８２は、一端が第１抵抗２８１とカップリングコンデンサ２７０との間に接続され、他端がグランドに接続される。分圧回路２８では、第１抵抗２８１の抵抗値と第２抵抗２８２の抵抗値との比率（前記分圧比）に応じて、ＣＣＤ２６から出力されるアナログ信号が分圧される。具体的に、前記分圧比は、原稿で正反射した光がＣＣＤ２６に照射される場合にＣＣＤ２６から出力されるアナログ信号の電圧及びＡＦＥ回路２７の入力レンジに基づいて設定される。
【００３８】
切替スイッチ２９は、ＣＣＤ２６から出力されるアナログ信号の分圧回路２８への入力の有無を切り替える。図５に示されるように、切替スイッチ２９は、第１バッファー２９１及び第２バッファー２９２を有する。
【００３９】
第１バッファー２９１は、入力端子がＣＣＤ２６に接続され、出力端子がカップリングコンデンサ２７０に接続される。また、第１バッファー２９１は、図５に示されるように、制御部５と接続された制御端子２９１Ａを有する。第１バッファー２９１では、制御端子２９１Ａにハイレベルの制御信号が入力された場合に、ＣＣＤ２６から入力されるアナログ信号が出力される。第２バッファー２９２は、入力端子がＣＣＤ２６に接続され、出力端子が分圧回路２８の第１抵抗２８１に接続される。また、第２バッファー２９２は、図５に示されるように、制御部５と接続された制御端子２９２Ａを有する。第２バッファー２９２では、制御端子２９２Ａにローレベルの制御信号が入力された場合に、ＣＣＤ２６から入力されるアナログ信号が出力される。
【００４０】
ところで、画像形成装置１０では、エンボス加工が施されたクレジットカードのような鏡面を有する立体物の画像が読み取られる場合に、光源２２１から射出されて前記立体物で正反射した光がＣＣＤ２６に照射されることがある。この場合、ＣＣＤ２６からＡＦＥ回路２７の入力レンジを超える振幅のアナログ信号が出力されてクランプ部２７１におけるオフセットレベルが変化し、読み取られる画像データに主走査方向Ｄ２に沿った筋状の異常画像が表れる。これに対し、ユーザー操作に応じてＣＣＤ２６から出力されるアナログ信号の分圧回路２８への入力の有無を切り替えることで、読み取られる画像データに前記異常画像が表れることを抑制可能な画像読取装置が関連技術として知られている。
【００４１】
しかしながら、前記関連技術では、ユーザーにおいて原稿の画像の読み取り前に原稿が鏡面を有する立体物であるか否かを確認する手間が生じる。これに対し、本発明の実施形態に係る画像形成装置１０では、以下に説明するように、読み取られる画像データに前記異常画像が表れることを抑制すると共に、ユーザーにおける手間を軽減することが可能である。
【００４２】
具体的に、画像形成装置１０では、図２及び図３に示されるように、原稿台２１に距離検出部２１４が設けられている。
【００４３】
距離検出部２１４は、ＡＤＦ１と第１コンタクトガラス２１１との間の離間距離を検出する。例えば、距離検出部２１４は、ＡＤＦ１へ向けて光を射出する発光部、及び前記発光部から射出されてＡＤＦ１で反射された光を受光して受光量に応じた電気信号を出力する受光部を有する反射型の光センサーである。図３に示されるように、距離検出部２１４は、載置基準位置Ｐ１を通過する回動軸２１３に平行な直線Ｌ１上の位置に設けられる。これにより、距離検出部２１４は、載置基準位置Ｐ１に合わせて第１コンタクトガラス２１１に載置された原稿の厚みを検出することが可能である。
【００４４】
一方、制御部５の前記ＲＯＭには、前記ＣＰＵに後述の読取制御処理（図６のフローチャート参照）を実行させるための読取制御プログラムが予め記憶されている。なお、前記読取制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭなどにインストールされるものであってもよい。
【００４５】
そして、制御部５は、図２に示されるように、判定処理部５１、分圧処理部５２、補正処理部５３、及び処理実行部５４を含む。具体的に、制御部５は、前記ＣＰＵを用いて前記ＲＯＭに記憶されている前記読取制御プログラムを実行する。これにより、制御部５は、判定処理部５１、分圧処理部５２、補正処理部５３、及び処理実行部５４として機能する。ここに、ＡＤＦ１、画像読取部２、及び制御部５を備える装置が、本発明における画像読取装置の一例である。なお、本発明は、スキャナー装置、ファクシミリ装置、コピー機などの画像読取装置又は画像形成装置に適用可能である。
【００４６】
判定処理部５１は、第１コンタクトガラス２１１及びＡＤＦ１の位置関係に基づいて、第１コンタクトガラス２１１に載置された原稿が立体物であるか否かを判定する。
【００４７】
具体的に、判定処理部５１は、距離検出部２１４により検出される前記離間距離が予め定められた第１基準距離を超える場合に、第１コンタクトガラス２１１に載置された原稿が立体物であると判定する。例えば、第１基準距離は、載置基準位置Ｐ１に合わせてエンボス加工が施されたクレジットカードなどのカードが第１コンタクトガラス２１１に載置された場合に距離検出部２１４により検出される前記離間距離に基づいて設定される。
【００４８】
また、判定処理部５１は、距離検出部２１４により検出される前記離間距離が前記第１基準距離より長い第２基準距離を超える場合に、第１コンタクトガラス２１１に載置された原稿が立体物であり且つブック原稿であると判定する。例えば、第２基準距離は、載置基準位置Ｐ１に合わせて予め定められた厚み又はページ数を有するブック原稿が第１コンタクトガラス２１１に載置された場合に距離検出部２１４により検出される前記離間距離に基づいて設定される。
【００４９】
分圧処理部５２は、判定処理部５１により第１コンタクトガラス２１１に載置された原稿が立体物であると判定された場合に、ＣＣＤ２６から出力されるアナログ信号を前記分圧比で分圧可能である。
【００５０】
例えば、分圧処理部５２は、判定処理部５１により第１コンタクトガラス２１１に載置された原稿が立体物であり且つブック原稿でないと判定された場合に、予め定められたユーザー操作に応じてＣＣＤ２６から出力されるアナログ信号を分圧する。
【００５１】
具体的に、分圧処理部５２は、切替スイッチ２９を操作して、ＣＣＤ２６から出力されるアナログ信号を分圧する。より具体的に、分圧処理部５２は、切替スイッチ２９に入力される前記制御信号の電圧レベルをハイレベルからローレベルに切り替えることで、ＣＣＤ２６から出力されるアナログ信号を分圧回路２８に入力する。
【００５２】
なお、分圧処理部５２は、判定処理部５１により第１コンタクトガラス２１１に載置された原稿が立体物であり且つブック原稿でないと判定された場合に、自動でＣＣＤ２６から出力されるアナログ信号を分圧してもよい。また、分圧処理部５２は、判定処理部５１により第１コンタクトガラス２１１に載置された原稿が立体物であると判定された場合に、自動でＣＣＤ２６から出力されるアナログ信号を分圧してもよい。
【００５３】
補正処理部５３は、分圧処理部５２によりＣＣＤ２６から出力されるアナログ信号が分圧される場合に、ＡＦＥ回路２７から出力される画像データの画素の濃度を前記分圧比に応じて補正する。
【００５４】
例えば、補正処理部５３は、前記分圧比が２分の１である場合に、ＡＦＥ回路２７から出力される画像データの画素の濃度値を２倍に補正する。
【００５５】
処理実行部５４は、判定処理部５１により第１コンタクトガラス２１１に載置された原稿が立体物であり且つブック原稿であると判定された場合に、ＡＦＥ回路２７から出力される画像データに対して予め定められた画像処理を実行する。
【００５６】
例えば、処理実行部５４は、ＡＦＥ回路２７から出力される画像データに対して、ブック原稿の中央部の画像の歪みを補正する補正処理を実行する。なお、処理実行部５４は、ブック原稿から読み取られる２ページ分のページ画像を含む画像データをページ単位の画像データに分割する分割処理を実行してもよい。また、前記画像処理の内容は、ユーザー操作に応じて任意に設定可能であってよい。
【００５７】
［読取制御処理］
以下、図６を参照しつつ、画像形成装置１０において制御部５により実行される読取制御処理の手順の一例について説明する。ここで、ステップＳ１１、Ｓ１２・・・は、制御部５により実行される処理手順（ステップ）の番号を表している。なお、前記読取制御処理は、操作表示部６におけるユーザー操作により、第１コンタクトガラス２１１に載置される原稿の画像を読み取る読取処理の実行が指示された場合に実行される。
【００５８】
＜ステップＳ１１＞
まず、ステップＳ１１において、制御部５は、第１コンタクトガラス２１１に載置された原稿が立体物であるか否かを判定する判定処理を実行する。ここに、ステップＳ１１の処理が、本発明における判定ステップの一例であって、制御部５の判定処理部５１により実行される。
【００５９】
＜ステップＳ１２＞
ステップＳ１２において、制御部５は、ステップＳ１１で第１コンタクトガラス２１１に載置された原稿が立体物であると判定されたか否かを判断する。
【００６０】
ここで、制御部５は、原稿が立体物であると判定されたと判断すると（Ｓ１２のＹｅｓ側）、処理をステップＳ１３に移行させる。また、原稿が立体物であると判定されていなければ（Ｓ１２のＮｏ側）、制御部５は、処理をステップＳ１２１に移行させる。
【００６１】
＜ステップＳ１２１＞
ステップＳ１２１において、制御部５は、画像読取部２を用いて第１コンタクトガラス２１１に載置された原稿の画像データを読み取る。
【００６２】
＜ステップＳ１３＞
ステップＳ１３において、制御部５は、ステップＳ１１で第１コンタクトガラス２１１に載置された原稿がブック原稿であると判定されたか否かを判断する。
【００６３】
ここで、制御部５は、原稿がブック原稿であると判定されたと判断すると（Ｓ１３のＹｅｓ側）、処理をステップＳ１３１に移行させる。また、原稿がブック原稿であると判定されていなければ（Ｓ１３のＮｏ側）、制御部５は、処理をステップＳ１４に移行させる。
【００６４】
＜ステップＳ１３１＞
ステップＳ１３１において、制御部５は、画像読取部２を用いて第１コンタクトガラス２１１に載置された原稿の画像データを読み取る。
【００６５】
＜ステップＳ１３２＞
ステップＳ１３２において、制御部５は、ステップＳ１３１で読み取られた画像データに対して、前記画像処理を実行する。ここで、ステップＳ１３２の処理は、制御部５の処理実行部５４により実行される。
【００６６】
例えば、制御部５は、ＡＦＥ回路２７から出力される画像データに対して、ブック原稿の中央部の画像の歪みを補正する補正処理を実行する。これにより、第１コンタクトガラス２１１に載置された原稿がブック原稿である場合に、自動でブック原稿から読み取られる画像データに応じた画像処理が実行される。
【００６７】
なお、ステップＳ１３、ステップＳ１３１、及びステップＳ１３２の処理は省略されてもよい。
【００６８】
＜ステップＳ１４＞
ステップＳ１４において、制御部５は、原稿の読取モードの選択に用いられる選択画面を操作表示部６に表示させる。例えば、前記選択画面において、ユーザーは、通常読取モード及び鏡面読取モードのいずれかの読取モードを選択可能である。これにより、ユーザーは、原稿が鏡面を有する立体物ではない場合に、ＣＣＤ２６から出力されるアナログ信号が分圧されることで読み取られる画像データの画質が低下することを回避可能である。
【００６９】
＜ステップＳ１５＞
ステップＳ１５において、制御部５は、前記選択画面で選択された原稿の読取モードが鏡面読取モードであるか否かを判断する。
【００７０】
ここで、制御部５は、前記選択画面で選択された原稿の読取モードが鏡面読取モードであると判断すると（Ｓ１５のＹｅｓ側）、処理をステップＳ１６に移行させる。また、前記選択画面で選択された原稿の読取モードが鏡面読取モードでなければ（Ｓ１５のＮｏ側）、制御部５は、処理をステップＳ１２１に移行させる。
【００７１】
なお、ステップＳ１４及びステップＳ１５の処理は省略されてもよい。
【００７２】
＜ステップＳ１６＞
ステップＳ１６において、制御部５は、ＣＣＤ２６から出力されるアナログ信号を前記分圧比で分圧する。ここに、ステップＳ１６の処理が、本発明における分圧ステップの一例であって、制御部５の分圧処理部５２により実行される。
【００７３】
具体的に、制御部５は、切替スイッチ２９を操作して、ＣＣＤ２６から出力されるアナログ信号を分圧する。より具体的に、制御部５は、切替スイッチ２９に入力される前記制御信号の電圧レベルをハイレベルからローレベルに切り替えることで、ＣＣＤ２６から出力されるアナログ信号を分圧回路２８に入力する。
【００７４】
＜ステップＳ１７＞
ステップＳ１７において、制御部５は、画像読取部２を用いて第１コンタクトガラス２１１に載置された原稿の画像データを読み取る。
【００７５】
＜ステップＳ１８＞
ステップＳ１８において、制御部５は、ステップＳ１７で読み取られる画像データの画素の濃度を前記分圧比に応じて補正する。ここに、ステップＳ１８の処理が、本発明における補正ステップの一例であって、制御部５の補正処理部５３により実行される。
【００７６】
例えば、制御部５は、前記分圧比が２分の１である場合に、ステップＳ１７で読み取られる画像データの画素の濃度値を２倍に補正する。これにより、ＣＣＤ２６から出力されるアナログ信号が前記分圧比で分圧されることで、原稿から読み取られる画像データが全体的に暗くなることが回避される。
【００７７】
＜ステップＳ１９＞
ステップＳ１９において、制御部５は、ＣＣＤ２６から出力されるアナログ信号の分圧を解除する。具体的に、制御部５は、切替スイッチ２９に入力される前記制御信号の電圧レベルをローレベルからハイレベルに切り替えることで、ＣＣＤ２６から出力されるアナログ信号の分圧を解除する。
【００７８】
＜ステップＳ２０＞
ステップＳ２０において、制御部５は、ステップＳ１２１、ステップＳ１３１、又はステップＳ１７で読み取られた画像データを出力する。例えば、制御部５は、読み取られた画像データを記憶部７に記憶させる。なお、制御部５は、読み取られた画像データを予め指定された外部の情報処理装置に送信してもよい。また、制御部５は、読み取られた画像データに基づく印刷処理を実行してもよい。
【００７９】
このように、前記読取制御処理では、第１コンタクトガラス２１１に載置された原稿が立体物であり且つブック原稿でないと判定された場合に、ユーザー操作に応じてＣＣＤ２６から出力されるアナログ信号が前記分圧比で分圧される。これにより、ユーザーが原稿の画像の読み取り前に原稿が鏡面を有する立体物であるか否かを確認することなく前記読取処理の実行操作を行った場合であっても、読み取られる画像データに前記異常画像が表れることが抑制される。従って、画像形成装置１０では、読み取られる画像データに前記異常画像が表れることを抑制すると共に、ユーザーにおける手間を軽減することが可能である。
【００８０】
［他の実施形態］
なお、図７に示されるように、距離検出部２１４に替えて、以下に説明する角度検出部２１５を備える構成が他の実施形態として考えられる。
【００８１】
角度検出部２１５は、ＡＤＦ１の第１コンタクトガラス２１１に対する回動角度を検出する。例えば、角度検出部２１５は、前記回動角度に応じた電気信号を出力するポテンショメータのような角度センサーである。
【００８２】
画像形成装置１０が角度検出部２１５を備える場合、判定処理部５１は、角度検出部２１５により検出される前記回動角度が予め定められた第１基準角度を超える場合に、第１コンタクトガラス２１１に載置された原稿が立体物であると判定する。例えば、第１基準角度は、載置基準位置Ｐ１に合わせてエンボス加工が施されたクレジットカードなどのカードが第１コンタクトガラス２１１に載置された場合に角度検出部２１５により検出される前記回動角度に基づいて設定される。
【００８３】
また、画像形成装置１０が角度検出部２１５を備える場合、判定処理部５１は、角度検出部２１５により検出される前記回動角度が前記第１基準角度より大きい第２基準角度を超える場合に、第１コンタクトガラス２１１に載置された原稿がブック原稿であると判定する。例えば、第２基準角度は、載置基準位置Ｐ１に合わせて予め定められた厚み又はページ数を有するブック原稿が第１コンタクトガラス２１１に載置された場合に角度検出部２１５により検出される前記回動角度に基づいて設定される。
【符号の説明】
【００８４】
１    ＡＤＦ
２    画像読取部
３    画像形成部
４    給紙部
５    制御部
６    操作表示部
７    記憶部
１０  画像形成装置
２１  原稿台
２２  読取ユニット
２３、２４  ミラー
２５  光学レンズ
２６  ＣＣＤ
２７  ＡＦＥ回路
２８  分圧回路
２９  切替スイッチ
５１  判定処理部
５２  分圧処理部
５３  補正処理部
５４  処理実行部
【図１】
2018056624.tif 000003
【図２】
2018056624.tif 000004
【図３】
2018056624.tif 000005
【図４】
2018056624.tif 000006
【図５】
2018056624.tif 000007
【図６】
2018056624.tif 000008
【図７】
2018056624.tif 000009